(57)【要約】【課題】  撮影した撮像データのピントの状況や被写体の表情などを容易に、かつ迅速に確認可能とする。【解決手段】  撮影直後、撮影された撮像データから合焦位置を中心とする詳細画像領域を抽出してリサイズする。メイン表示部１０２には、撮影データのイメージ全体が表示されるとともに、左上隅の詳細表示領域１０２１にはリサイズされた詳細画像を表示する。その後、ユーザに該撮像データを記録するか否かを問い合わせ、ユーザが記録することを選択した場合には、撮像データに対して符号化／変換／圧縮処理を行って保存する。【選択図】  図５
2006229663.tif 000002
【特許請求の範囲】
【請求項１】
撮像手段と、
この撮像手段による撮像データを一時記憶する第１の記憶手段と、
この第１の記憶手段に記憶された撮像データ全体の倍率を調整し、一画面にして表示する表示手段と、
前記撮像データの一部を抽出する抽出手段と、
前記表示手段によって撮像データが表示されているときに、前記抽出手段により抽出された一部を前記表示されている撮像データとは異なる倍率で調整し、前記撮像データと同時に前記表示手段に表示するよう制御する表示制御手段と、
前記表示制御手段による表示の後、前記第１の記憶手段に記憶された撮像データをファイル化して記憶する第２の記憶手段と
を具備することを特徴とする撮像装置。
【請求項２】
前記撮像データとは、前記撮像手段によって連続的に撮像されたフレームデータを含む動画データであり、
前記抽出手段は、前記フレームデータの一部を抽出し、
前記表示手段は、第１の記憶手段に記憶された動画データ全体の倍率を調整し、一画面にして再生表示し、
前記表示制御手段は、前記表示手段によって撮像データが再生表示されているときに、前記抽出手段により抽出されたフレームの一部を、前記再生表示されている動画データとは異なる倍率で調整し、前記動画データと同時に前記表示手段に再生表示するよう制御することを特徴とする請求項１に記載の撮像装置。
【請求項３】
前記表示手段は、第１の表示領域とこの第１の表示領域より表示面積の小さい第２の表示領域とを有し、
前記表示制御手段は、第１の記憶手段に記憶された撮像データ全体の倍率を調整し、一画面にして前記表示手段の前記第１の表示領域に表示させると同時に、前記抽出手段により抽出された一部を前記第１の表示領域に表示されている撮像データとは異なる倍率で調整し、前記撮像データと同時に前記表示手段の第２の表示領域に表示するよう制御することを特徴とする請求項１または２に記載の撮像装置。
【請求項４】
前記表示手段は、第１の表示領域とこの第１の表示領域に重なる第２の表示領域とを有し、
前記表示制御手段は、第１の記憶手段に記憶された撮像データ全体の倍率を調整し、一画面にして前記表示手段の前記第１の表示領域に表示させると同時に、前記抽出手段により抽出された一部を前記第１の表示領域に表示されている撮像データとは異なる倍率で調整し、前記撮像データと同時に前記表示手段の第２の表示領域に表示するよう制御することを特徴とする請求項１または２に記載の撮像装置。
【請求項５】
前記撮像手段により撮像される撮像データにおける焦点調整位置を検出する検出手段を更に具備し、
前記抽出手段によって抽出される撮像データの一部は、前記検出手段によって検出された焦点調整位置を含むことを特徴とする請求項１乃至４のいずれかに記載の撮像装置。
【請求項６】
前記抽出手段は、前記撮像データの異なる位置から前記一部を複数抽出し、
前記表示制御手段は、前記抽出手段により複数抽出された前記一部の各々を表示することを特徴とする請求項１乃至５のいずれかに記載の撮像装置。
【請求項７】
前記撮像データを前記表示制御手段によって表示された状態に加工する加工手段と、
前記加工手段によって加工された撮像データをファイル化して前記第２の記憶手段に記憶させる記憶制御手段と
を更に具備することを特徴とする請求項１乃至６のいずれかに記載の撮像装置。
【請求項８】
撮像ステップと、
この撮像ステップにて撮像された撮像データを第１のメモリに一時記憶させる第１の記憶ステップと、
この第１の記憶ステップにて記憶された撮像データ全体の倍率を調整し、一画面にして表示出力させる表示ステップと、
前記撮像データの一部を抽出する抽出ステップと、
前記表示ステップにて撮像データが表示されているときに、前記抽出ステップにより抽出された一部を前記表示されている撮像データとは異なる倍率で調整し、前記撮像データと同時に表示するよう制御する表示制御ステップと、
前記表示制御ステップによる表示の後、前記第１のメモリに記憶された撮像データをファイル化して第２のメモリに記憶させる第２の記憶ステップと
からなることを特徴とする撮像データ表示方法。
【請求項９】
撮像データを表示部の全面に表示する撮像データ表示プログラムであって、
撮像データを第１のメモリに一時記憶させる第１の記憶ステップと、
この第１の記憶ステップにて記憶された撮像データ全体の倍率を調整し、一画面にして表示部に表示出力させる表示ステップと、
前記撮像データの一部を抽出する抽出ステップと、
前記表示ステップにて撮像データが表示されているときに、前記抽出ステップにより抽出された一部を前記表示されている撮像データとは異なる倍率で調整し、前記撮像データと同時に表示するよう制御する表示制御ステップと、
前記表示制御ステップによる表示の後、前記第１のメモリに記憶された撮像データをファイル化して第２のメモリに記憶させる第２の記憶ステップと
をコンピュータに実行させることを特徴とする撮像データ表示プログラム。
【発明の詳細な説明】
【技術分野】
【０００１】
本発明は、撮像装置、撮像データ表示方法および撮像データ表示プログラムに関する。
【背景技術】
【０００２】
従来、銀塩カメラ一体型ビデオカメラとして、撮影後に撮影された撮像データを液晶表示部に表示してユーザに確認させ、ユーザが保存指示を行った場合にのみ、撮影画像データを保存するようになっている（例えば特許文献１参照）。
【特許文献１】特開平５−２９７４４８号公報
【発明の開示】
【発明が解決しようとする課題】
【０００３】
しかしながら、従来技術では、表示部に撮影画像全体を表示するため、ピントが合っているのかいないのか、あるいは撮影に成功したのか失敗したのかが分かり難いという問題があった。そこで、ユーザ操作により、表示部に表示している撮影画像データを拡大する機能を有するものもあるが、操作が煩雑になり、迅速にピントが合っているか、撮影に失敗したのかを判断するのに時間がかかるという問題があった。
【０００４】
そこで本発明は、撮影した画像データのピントの状況や被写体の表情などを容易に、かつ迅速に確認することができる撮像装置、撮像データ表示方法および撮像データ表示プログラムを提供することを目的とする。
【課題を解決するための手段】
【０００５】
上記目的達成のため、請求項１記載の発明による撮像装置は、撮像手段と、この撮像手段による撮像データを一時記憶する第１の記憶手段と、この第１の記憶手段に記憶された撮像データ全体の倍率を調整し、一画面にして表示する表示手段と、前記撮像データの一部を抽出する抽出手段と、前記表示手段によって撮像データが表示されているときに、前記抽出手段により抽出された一部を前記表示されている撮像データとは異なる倍率で調整し、前記撮像データと同時に前記表示手段に表示するよう制御する表示制御手段と、前記表示制御手段による表示の後、前記第１の記憶手段に記憶された撮像データをファイル化して記憶する第２の記憶手段とを具備することを特徴とする。
【０００６】
また、好ましい態様として、例えば請求項２記載のように、請求項１記載の撮像装置において、前記撮像データとは、前記撮像手段によって連続的に撮像されたフレームデータを含む動画データであり、前記抽出手段は、前記フレームデータの一部を抽出し、前記表示手段は、第１の記憶手段に記憶された動画データ全体の倍率を調整し、一画面にして再生表示し、前記表示制御手段は、前記表示手段によって撮像データが再生表示されているときに、前記抽出手段により抽出されたフレームの一部を、前記再生表示されている動画データとは異なる倍率で調整し、前記動画データと同時に前記表示手段に再生表示するよう制御するようにしてもよい。
【０００７】
また、好ましい態様として、例えば請求項３記載のように、請求項１または２に記載の撮像装置において、前記表示手段は、第１の表示領域とこの第１の表示領域より表示面積の小さい第２の表示領域とを有し、前記表示制御手段は、第１の記憶手段に記憶された撮像データ全体の倍率を調整し、一画面にして前記表示手段の前記第１の表示領域に表示させると同時に、前記抽出手段により抽出された一部を前記第１の表示領域に表示されている撮像データとは異なる倍率で調整し、前記撮像データと同時に前記表示手段の第２の表示領域に表示するよう制御するようにしてもよい。
【０００８】
また、好ましい態様として、例えば請求項４記載のように、請求項１または２に記載の撮像装置において、前記表示手段は、第１の表示領域とこの第１の表示領域に重なる第２の表示領域とを有し、前記表示制御手段は、第１の記憶手段に記憶された撮像データ全体の倍率を調整し、一画面にして前記表示手段の前記第１の表示領域に表示させると同時に、前記抽出手段により抽出された一部を前記第１の表示領域に表示されている撮像データとは異なる倍率で調整し、前記撮像データと同時に前記表示手段の第２の表示領域に表示するようにしてもよい。
【０００９】
また、好ましい態様として、例えば請求項５記載のように、請求項１乃至４のいずれかに記載の撮像装置において、前記撮像手段により撮像される撮像データにおける焦点調整位置を検出する検出手段を更に具備し、前記抽出手段によって抽出される撮像データの一部は、前記検出手段によって検出された焦点調整位置を含むようにしてもよい。
【００１０】
また、好ましい態様として、例えば請求項６記載のように、請求項１乃至５のいずれかに記載の撮像装置において、前記抽出手段は、前記撮像データの異なる位置から前記一部を複数抽出し、前記表示制御手段は、前記抽出手段により複数抽出された前記一部の各々を表示するようにしてもよい。
【００１１】
また、好ましい態様として、例えば請求項７記載のように、請求項１乃至６のいずれかに記載の撮像装置において、前記撮像データを前記表示制御手段によって表示された状態に加工する加工手段と、前記加工手段によって加工された撮像データをファイル化して前記第２の記憶手段に記憶させる記憶制御手段とを更に具備するようにしてもよい。
【００１２】
また、上記目的達成のため、請求項８記載の発明による撮像データ表示方法は、撮像ステップと、この撮像ステップにて撮像された撮像データを第１のメモリに一時記憶させる第１の記憶ステップと、この第１の記憶ステップにて記憶された撮像データ全体の倍率を調整し、一画面にして表示出力させる表示ステップと、前記撮像データの一部を抽出する抽出ステップと、前記表示ステップにて撮像データが表示されているときに、前記抽出ステップにより抽出された一部を前記表示されている撮像データとは異なる倍率で調整し、前記撮像データと同時に表示するよう制御する表示制御ステップと、前記表示制御ステップによる表示の後、前記第１のメモリに記憶された撮像データをファイル化して第２のメモリに記憶させる第２の記憶ステップとからなることを特徴とする。
【００１３】
また、上記目的達成のため、請求項９記載の発明による撮像データ表示プログラムは、撮像データを表示部の全面に表示する撮像データ表示プログラムであって、撮像データを第１のメモリに一時記憶させる第１の記憶ステップと、この第１の記憶ステップにて記憶された撮像データ全体の倍率を調整し、一画面にして表示部に表示出力させる表示ステップと、前記撮像データの一部を抽出する抽出ステップと、前記表示ステップにて撮像データが表示されているときに、前記抽出ステップにより抽出された一部を前記表示されている撮像データとは異なる倍率で調整し、前記撮像データと同時に表示するよう制御する表示制御ステップと、前記表示制御ステップによる表示の後、前記第１のメモリに記憶された撮像データをファイル化して第２のメモリに記憶させる第２の記憶ステップとをコンピュータに実行させることを特徴とする。
【発明の効果】
【００１４】
請求項１記載の発明によれば、この撮像手段による撮像データを第１の記憶手段に一時記憶し、この第１の記憶手段に記憶された撮像データ全体の倍率を調整し、一画面にして表示手段に表示し、抽出手段により、前記撮像データの一部を抽出し、前記表示手段によって撮像データが表示されているときに、表示制御手段により、前記抽出手段により抽出された一部を前記表示されている撮像データとは異なる倍率で調整し、前記撮像データと同時に前記表示手段に表示するよう制御し、前記表示制御手段による表示の後、前記第１の記憶手段に記憶された撮像データをファイル化して第２の記憶手段に記憶するようにしたので、撮影した画像データのピントの状況や被写体の表情などを容易に、かつ迅速に確認することができるという利点が得られる。
【００１５】
また、請求項２記載の発明によれば、前記撮像データを動画データとし、前記抽出手段により、前記フレームデータの一部を抽出し、前記表示手段により、第１の記憶手段に記憶された動画データ全体の倍率を調整し、一画面にして再生表示し、前記表示制御手段により、前記表示手段によって撮像データが再生表示されているときに、前記抽出手段により抽出されたフレームの一部を、前記再生表示されている動画データとは異なる倍率で調整し、前記動画データと同時に前記表示手段に再生表示するよう制御するとしたので、動画であっても、撮影した動画データのピントの状況や被写体の表情などを容易に、かつ迅速に確認することができるという利点が得られる。
【００１６】
また、請求項３記載の発明によれば、第１の表示領域とこの第１の表示領域より表示面積の小さい第２の表示領域とを前記表示手段に設け、前記表示制御手段により、第１の記憶手段に記憶された撮像データ全体の倍率を調整し、一画面にして前記表示手段の前記第１の表示領域に表示させると同時に、前記抽出手段により抽出された一部を前記第１の表示領域に表示されている撮像データとは異なる倍率で調整し、前記撮像データと同時に前記表示手段の第２の表示領域に表示するよう制御するようにしたので、全体像とともに、撮影した画像データのピントの状況や被写体の表情などを容易に、かつ迅速に確認することができるという利点が得られる。
【００１７】
また、請求項４記載の発明によれば、第１の表示領域とこの第１の表示領域に重なる第２の表示領域とを前記表示手段に設け、前記表示制御手段により、第１の記憶手段に記憶された撮像データ全体の倍率を調整し、一画面にして前記表示手段の前記第１の表示領域に表示させると同時に、前記抽出手段により抽出された一部を前記第１の表示領域に表示されている撮像データとは異なる倍率で調整し、前記撮像データと同時に前記表示手段の第２の表示領域に表示するようにしたので、全体像とともに、撮影した画像データのピントの状況や被写体の表情などを容易に、かつ迅速に確認することができるという利点が得られる。
【００１８】
また、請求項５記載によれば、前記抽出手段によって抽出される撮像データの一部に、前記検出手段によって検出された焦点調整位置を含むようにしたので、撮影したそれぞれの画像データのピントの状況や被写体の表情などを容易に、かつ迅速に確認することができるという利点が得られる。
【００１９】
また、請求項６記載の発明によれば、前記抽出手段によって、前記撮像データの異なる位置から前記一部を複数抽出し、前記表示制御手段によって、前記抽出手段により複数抽出された前記一部の各々を表示するようにしたので、撮影した画像データの複数の箇所のピントの状況や被写体の表情などを一度に、容易に、そして迅速に確認することができるという利点が得られる。
【００２０】
また、請求項７記載の発明によれば、加工手段によって、前記撮像データを前記表示制御手段によって表示された状態に加工し、記憶制御手段によって、加工された撮像データをファイル化して前記第２の記憶手段に記憶させるようにしたので、撮影した画像データのピントの状況や被写体の表情などを容易に、かつ迅速に確認することができるという利点が得られる。
【００２１】
また、請求項８記載の発明によれば、第１の記憶ステップで、撮像ステップにて撮像された撮像データを第１のメモリに一時記憶させ、表示ステップで、記憶された撮像データ全体の倍率を調整し、一画面にして表示出力させ、抽出ステップで、前記撮像データの一部を抽出し、前記表示ステップにて撮像データが表示されているときに、表示制御ステップで、前記抽出ステップにより抽出された一部を前記表示されている撮像データとは異なる倍率で調整し、前記撮像データと同時に表示するよう制御し、前記表示制御ステップによる表示の後、第２の記憶ステップで、前記第１のメモリに記憶された撮像データをファイル化して第２のメモリに記憶させるようにしたので、撮影した画像データのピントの状況や被写体の表情などを容易に、かつ迅速に確認することができるという利点が得られる。
【００２２】
また、請求項９記載の発明によれば、撮像データを第１のメモリに一時記憶させる第１の記憶ステップと、この第１の記憶ステップにて記憶された撮像データ全体の倍率を調整し、一画面にして表示部に表示出力させる表示ステップと、前記撮像データの一部を抽出する抽出ステップと、前記表示ステップにて撮像データが表示されているときに、前記抽出ステップにより抽出された一部を前記表示されている撮像データとは異なる倍率で調整し、前記撮像データと同時に表示するよう制御する表示制御ステップと、前記表示制御ステップによる表示の後、前記第１のメモリに記憶された撮像データをファイル化して第２のメモリに記憶させる第２の記憶ステップとをコンピュータに実行させるようにしたので、撮影した画像データのピントの状況や被写体の表情などを容易に、かつ迅速に確認することができるという利点が得られる。
【発明を実施するための最良の形態】
【００２３】
以下、本発明の実施の形態を、携帯電話を例に図面を参照して説明する。
Ａ．実施形態の構成
図１は、本発明の実施形態による携帯電話の外観図（開状態：正面図および背面図）である。図において、携帯電話１は、蓋部２と本体部３とからなる二つ折り構造である。スピーカ１０１は、蓋部２の前面側に設けられており、電話モードにおける通話時には音声出力を行う。メイン表示部１０２は、カラー液晶であり、ＱＶＧＡの解像度を有し、撮像した画像、動画やダウンロードした画像、動画を表示可能となっており、特に本実施形態では撮影直後の確認画面において撮影した画像データの詳細表示などに用いられる。アンテナ１０３は、蓋部２の背面に設けられており、伸縮自在となっている。
【００２４】
カメラキー１０４は、電源オン状態におけるカメラモードへの移行、後述する撮像デバイス１３０、ＤＳＰ１２９の起動を指示するためのキーである。メールキー１０５は、メールモードへの移行、メールプログラムのロードを指示するためのキーである。十字キー１０６は、メニュー画面でのカーソルの移動の他、撮影モードにおいては、合焦位置の移動や、撮影した撮像データを確認する際の詳細表示領域１０２１の移動を指示するためのキーである。決定キー１０７は、押圧操作検出時のストロークが判別できる機構を備え、通常の待ち受けモード等の時は、全押し検出で選択を決定する。また、本実施の形態では、撮影モードの際、押圧検出時のストロークの深さによって半押し／全押しを判断し、半押しの際はレンズを駆動し、オートフォーカスエリアで合焦処理を行う。一方、上記半押しの後、全押しを判断すると、合焦処理された撮像イメージを一時保存し、半押しのストロークタイミングを検出せずに全押しを検出した場合は、その時点の撮像イメージを一時保存する。アドレスキー１０８は、アドレス帳データを表示するためのキーである。ネット接続キー１０９は、インターネットへ接続するためのキーである。
【００２５】
クリアキー１１０は、選択などをキャンセルするためのキーである。オンフックキー１１１は、回線を接続するためのキーである。オフフックキー１１２は、電話モード／カメラモード兼用電源オフキー、電話モード立ち上げ用電源オンキー、回線を切断するためのキーである。テンキー１１３は、文字入力やダイアル入力を行うためのキーである。マイク１１４は、本体部３の下部に設けられており、通話時における音声入力を行う。
【００２６】
サブ表示部１１６は、蓋部２の背面に設けられており、携帯電話１が閉じられた状態において、日時表示や、着信報知、メール着信報知、静止画や動画撮影時の補助画面、あるいは本実施形態による詳細表示などに用いられる。撮像レンズ１１８は、蓋部２の背面、上記サブ表示部１１６の上部に設けられており、静止画や動画を撮影する。フラッシュ用ＬＥＤ１１９は、静止画や動画撮影時に点灯し、露出不足を防止する。
【００２７】
次に、図２は、上述した携帯電話１の構成を示すブロック図である。図において、無線送受信部１３０は、無線によりアンテナ１０３を介して音声やデータ（メールデータ）を送受し変調／復調するなど、ＰＳＫ方式に基づく変復調、ＣＤＭＡ方式に基づく端末認証処理を含む通信処理を行う。
【００２８】
通信制御部１３１は、ＷＷＷ接続制御を含む当該機器を制御する。通信データ処理部１３１１は、ＣＬＥＰ系音声復号処理回路、パケットデータ生成回路、およびパケットデータ復元回路を含み、通信プロトコルに沿ったデータ処理を行う。オーディオインターフェース１３１２は、通信データ処理部１３１１で処理される音声信号の入出力処理を行い、マイク１１４からの音声を入力して音声信号に変換して、音声信号をスピーカ１０１から出力する。
【００２９】
システムＲＯＭ１３２は、主に無線通信処理全般を制御するための基本ＯＳやプロトコルプログラムを格納するプロトコル・プログラムエリアからなる。特に、本実施形態では、システムＲＯＭ１３２には、撮像デバイス１３９で撮像された撮像データを確認する際に、どの部分を詳細表示するかを示す座標などが記憶されている。
【００３０】
ＲＡＭ１３３は、通信処理に関連するドライバやワークエリアからなる。画像処理制御部１３４は、撮影時または再生時における動画／静止画に対する、ＭＰＥＧ（ＭＰＥＧ４）／ＪＰＥＧエンコードおよびデコード処理を行う他、カメラインターフェイスの一部として機能し、撮影直後に撮影した撮像データ全体をイメージ表示して保存する否かを確認する画面を表示する際に、この撮影した撮像データの一部の画素領域を抽出してリサイズし、メイン表示部１０２に表示した撮像データイメージ全体にオーバーラップさせ、詳細表示領域にこのリサイズされた撮像データの一部のイメージを表示させる詳細表示処理部１３４１を備える。
【００３１】
図３は、詳細表示処理部１３４１の処理の概念を示す図である。同図において、１３９は後述する撮像デバイスであり、有効画素１６００画素×１２００画素の領域を有する。また、１０２はメイン表示部であり、３２０×２４０のＱＶＧＡ相当の解像度を有する。このケースにおいて、例えば、１６００×１２００の画像を決定キー１０７の操作検出により取得され、ＲＡＭ１５０に転送される。画像処理制御部１３４はＲＡＭ１５０に転送されたイメージを縦方向１／５、横１／５にリサイズ（倍率調整）し３２０×２４０のサイズにして、表示モジュール系ドライバ１３７を介してメイン表示部に転送する。一方、特定の画素領域１３９２について詳細表示が指示されると、この特定の画素領域１３９２が縦１５０画素×横２００画素であり、後述する詳細表示領域１０２１が縦１２０×横１６０の領域であることから、特定の画素領域１３９２のイメージを縦方向４／５、横４／５にリサイズして、表示モジュール系ドライバ１３７を介してメイン表示部の詳細表示領域１０２１に転送する。
【００３２】
すなわち、ユーザからは詳細表示領域１０２１に表示される画像は拡大表示しているように見えるが、詳細表示処理部１３４１の処理では、撮像されたイメージ全体の縮小率と詳細表示が指示された領域の縮小率を任意に変えていることなる。
【００３３】
ＲＡＭ１３５は、アプリケーションヒープ（システムリソース領域）等を有するワークエリア、ユーザデータなどを格納するバックアップエリア、ファイルシステムを格納するシステム管理エリア、キャッシュメモリエリア、その他のエリアからなる。プログラムＲＯＭ１３６は、書き換え可能なＦｌａｓｈ  ＲＯＭで構成され、画像・イラスト・フォントなどを格納するデータエリア、ユーザデータ管理データやファイルシステム管理データなどを格納するファイルシステムエリア、データやプログラムなどを格納する辞書エリア、ＵＩプログラムエリアからなる。
【００３４】
表示モジュール系ドライバ１３７は、表示バッファを含み、サブ表示部１１６、メイン表示部１０２、フラッシュ用ＬＥＤ１１９を駆動させる。ステップモータ１３８は、撮像レンズ１１８のズーム制御を行う。撮像デバイス１３９は、１６００画素×１２００画素有効画素２００万画素相当のＣＣＤ、若しくはＣＭＯＳで構成され、撮像レンズ１１８により集束された映像をカラー画像として撮り込み、Ａ／Ｄ変換を行ってカメラ内信号処理部１４０のＲＡＭ１５０に順次出力する。ＲＡＭ１５０は、撮影された撮像データを一時保持するバッファである。ＤＳＰ１５１は、カメラ内信号処理部１４０に含まれており、撮像デバイス１３９にて撮り込まれ、ＲＡＭ１５０に記憶された撮像データを読み出す。
【００３５】
音源ＩＣ１４２は、着信音などを生成する。アンプ１４３は、音源ＩＣ１４２からの音声信号を増幅し、報知スピーカ１２０から出力する。コネクタ１４４は、外部記録媒体（例えばｍｉｎｉＳＤカードなど）１４５を装着する。外部インターフェースコントローラ１４６は、ＵＳＢインターフェース、１８芯コネクタの両方のインターフェースを切り替え、外部機器との間でデータの送受信を制御する。ユーザメモリ１４９は、ダウンロードしたデータや、撮影した撮像データ（画像ファイル）、動画ファイル、メールデータ、アドレス帳データなどを格納するデータエリア、リードオンリエリア、ファイルシステム管理データからなる。アドレスデータバス処理部１４８は、通信制御部１３１、画像処理制御部１３４のアドレス制御、バスのデータの流れを制御する。
【００３６】
Ｂ．第１実施形態の動作
次に、上述した第１実施形態の動作について説明する。ここで、図４および図５は、本第１実施形態による携帯電話１での撮像データの確認動作を説明するためのフローチャートである。また、図６は、本第１実施形態による携帯電話１での撮像データの確認方法を説明するための模式図である。
【００３７】
まず、電源オン操作があると、撮影モードであるか否かを判断し（ステップＳ１０）、撮影モードでなければ、動作モードに応じた処理へ進む。一方、撮影モードである場合には、撮影デバイス１３９、カメラ内信号処理部１４０を起動し（ステップＳ１２）、順次ＲＡＭ１５０に撮像データを転送した後、リサイズしてメイン表示部１０２に供給し、図６（ａ）に示すように、スルー画像としてこの撮像データに基づく撮像イメージ全体を全面表示する（ステップＳ１４）。
【００３８】
次に、十字キー１０６による合焦位置の移動検出、及び、決定キー１０７の半押しがあったか否かを判断し（ステップＳ１６）、決定キー１０７の半押しが無い場合には、ステップＳ１４へ戻り、撮像イメージ全体のスルー表示へ戻る。一方、決定キー１０７の半押しがあった場合には、レンズを駆動し、十字キー１０６で指示された画素領域をオートフォーカスエリアとして合焦処理し、処理後の撮像データ全体をリサイズし、撮像イメージとしてメイン表示部１０２に表示する（ステップＳ１８）。次に、決定キー１０７の全押しがあったか否かを判断し（ステップＳ２０）、決定キー１０７の全押しがない場合には、合焦を固定した状態を維持する。
【００３９】
一方、決定キー１０７の全押しがあった場合には、露出／シャッタースピード／フラッシュ発光等を自動制御して撮影し、撮像イメージをＲＡＭ１５０に一時保存する（ステップＳ２８）。次に、ＲＡＭ１５０に保存された撮像データについて、ステップＳ１６にて十字キー１０６にて指示された合焦位置の画素領域を詳細表示領域として抽出し、倍率変換する（ステップＳ３０）。
【００４０】
なお、抽出される画素領域としては、本実施の形態では合焦位置としているが、撮像画各の中心（光学軸の中心）とする画素領域や、スミア発生の有無を確認するために強い光が当たっている部分（飽和領域）を含む画素領域、黒つぶれ発生の有無を確認するために暗い部分を含む画素領域、白飛び発生の有無を確認するために明るい部分を含む画素領域、ノイズ発生の有無を確認するためにエッジ強調を行う部分を含む画素領域などであってもよい。
【００４１】
また、２回以上の分割撮影した画像を合成して１つの撮像データとして記録するカップリング撮影を行っている場合には、各撮影時の中心位置や合焦位置を中心とする画素領域であってもよい。また、画像認識技術を用いることが可能な場合には、赤目発生の有無を確認するために被写体の目を含む画素領域や、人物の肌色部分と認識された部分を含む画素領域、人物の顔と認識された部分を含む画素領域などであってもよい。
【００４２】
次に、図６（ｂ）に示すように、メイン表示部１０２に撮像イメージ全体がリサイズされて全体表示されるとともに、メイン表示部１０２の隅（図示の場合、左上隅）の詳細表示領域１０２１には、撮像イメージ全体の倍率とは異なる数値で倍率変換された詳細画像を表示する（ステップＳ３２）。
【００４３】
次に、ユーザにこの撮像データ全体を記録するか否かを問い合わせる（ステップＳ３４）。そして、十字キー１０６による選択操作、決定キー１０７による決定操作検出により、撮像データ全体を記録することを選択した場合には、これを検出し、ＲＡＭ１５０（バッファメモリ）の撮像データに対して符号化／変換／圧縮処理を行い（ステップＳ３６）、該符号化／変換／圧縮処理した撮像データをユーザメモリ１４９に保存して当該処理を終了する（ステップＳ３８）。
【００４４】
一方、ステップＳ３４にて十字キー１０６による選択操作、決定キー１０７による決定操作検出により、撮像データ全体を記録することがキャンセルされた場合は、詳細画像領域が合成表示された状態の撮像イメージ全体を記録するか否かの判断を待つ（ステップＳ４０）。そして、詳細画像領域が合成表示された状態の撮像イメージ全体を記録することを選択した場合には、これを検出し、メイン表示部１０２に表示されているイメージで撮像データ全体に詳細表示領域に対応する画素領域の画像をリサイズして合成する（ステップＳ４２）。そして、この合成された状態について符号化／変換／圧縮処理を行い（ステップＳ４４）、該符号化／変換／圧縮処理した合成画像データをユーザメモリ１４９に保存して当該処理を終了する（ステップＳ３８）。
【００４５】
また、上記ステップＳ４０で、詳細画像領域が合成表示された状態の撮像イメージ全体を記録することを選択しなかった場合は、これを検出し、ＲＡＭ１５０（バッファメモリ）をクリアして（ステップＳ４６）、ステップＳ１４へ戻り、上述した処理を繰り返す。
【００４６】
なお、上述した実施形態の動作においては、詳細表示領域１０２１をメイン表示部１０２の左上隅に確保するようにしたが、十字キー１０６の操作に応じて、詳細表示領域１０２１の位置をメイン表示部１０２の画面内で移動させてもよい。これにより、メイン表示部１０２の全体に表示されている撮像データも確認しやすくなる。
【００４７】
Ｃ．第２実施形態
次に、本発明の第２実施形態について説明する。なお、携帯電話１の外観、構成は、図１、図２および図３と同じであるので説明を省略する。ここで、図７（ａ）、（ｂ）は、本第２実施形態の携帯電話１による動画撮影時における表示動作を説明するための模式図であり、図８は、第２実施形態におけるフローチャートである。動画撮影では、撮影が開始されると、前述した図４のステップＳ１４にて、撮影デバイス１３９、カメラ内信号処理部１４０を介して順次ＲＡＭ１５０に撮像データを転送した後、リサイズしてメイン表示部１０２に供給し、スルー画像として撮像イメージ全体を全面表示する（ステップＳ１４）。この後、決定キー１０７にて所定時間以上の長押し操作が検出されるか否かを判断する（ステップＳ５０）。
【００４８】
長押し操作が検出されなければ、上記第１実施の形態のステップＳ１６に移行する。一方、所定時間以上の長押し操作が検出されると、そのタイミングから順次ＲＡＭ１５０に格納される撮像データ（フレームデータ）を動画データとしてマーキングする（ステップＳ５２）。すなわち、スルー画像として利用される撮像データについてはその撮像データは順次破棄されるが、動画データとして格納することが指示されることで、ＲＡＭ１５０の容量を上限として、順次撮像データを蓄積する。そして、再度決定キー１０７の操作を検出するか、蓄積された撮像データがＲＡＭ１５０の容量に達したかを判断する（ステップＳ５４）。いずれのケースにも該当しない場合は再びステップＳ５２の処理に戻るが、再度決定キー１０７の操作を検出するか、蓄積された撮像データがＲＡＭ１５０の容量に達したと判断すると、撮像を停止し、ＲＡＭ１５０に格納した動画データのフレーム全体をリサイズし、図７（ｂ）に示すように、メイン表示部１０２の全面で再生表示し、その一方でメイン表示部１０２の左上隅の詳細表示領域１０２１に、撮影した動画の一部を拡大表示する（ステップＳ５８）。
【００４９】
図７（ｂ）では、画面の中央部を中心とした所定領域の画像を抽出して拡大表示している。従って、動画の再生が進むにつれて所定領域の画像が変わるので、詳細表示領域１０２１に表示される部分画像も変化する。この時、ユーザの指示操作の検出か、最終フレームまで再生したことによる再生終了を判断し（ステップＳ６０）、再生終了を検出しなければ、ステップＳ５８の処理を継続し、再生終了を検出すると、ユーザにこの動画データ全体を記録するか否かを問い合わせる（ステップＳ６２）。そして、十字キー１０６による選択操作、決定キー１０７による決定操作検出により、動画データ全体を記録することを選択した場合には、これを検出し、ＲＡＭ１５０（バッファメモリ）の動画データに対して符号化／変換／圧縮処理を行い（ステップＳ６４）、該符号化／変換／圧縮処理した動画データ（動画ファイル）をユーザメモリ１４９に保存して当該処理を終了する（ステップＳ６６）。
【００５０】
一方、十字キー１０６による選択操作、決定キー１０７による決定操作検出により、動画データ全体を記録することがキャンセルされると、詳細画像領域が合成表示された状態の動画イメージ全体を記録するか否かの判断を待つ（ステップＳ６８）。そして、詳細画像領域が合成表示された状態の動画イメージ全体を記録することを選択した場合には、これを検出し、メイン表示部１０２に表示されているイメージで動画データ全体に詳細表示領域に対応する画素領域の動画データをリサイズして合成する（ステップ７０）。そして、この合成された状態について符号化／変換／圧縮処理を行い（ステップＳ７２）、該符号化／変換／圧縮処理した合成画像データをユーザメモリ１４９に保存して当該処理を終了する（ステップＳ６６）。
【００５１】
また、上記ステップＳ６８で、詳細画像領域が合成表示された状態の動画イメージ全体を記録することを選択しなかった場合は、これを検出し、ＲＡＭ１５０（バッファメモリ）をクリアして（ステップＳ７４）、ステップＳ１４へ戻る。
【００５２】
Ｄ．第３実施形態
次に、本発明の第３実施形態について説明する。なお、携帯電話１の外観、構成は、図１、図２および図３と同じであるので説明を省略する。ここで、図９は、本第３実施形態による携帯電話１での撮像データの確認方法を説明するための模式図である。本第３実施形態では、図９に示すように、詳細表示領域１０２１に表示する部分画像を、撮影した撮像データの略中心（フォーカシングポイント）を通って左から右へと自動的に移動させるようになっている。これにより、初期に詳細表示領域１０２１に表示される部分画像が所望する部分でなかったとしても、ユーザが指示操作することなく自動的に遷移していくので、容易に確認することが可能となる。
【００５３】
なお、本第３実施形態においては、詳細表示領域１０２１に表示する部分画像を撮影した撮像データの略中心（フォーカシングポイント）を通って左から右へと移動させるようにしたが、これに限らず、例えばフォーカシングポイントが複数箇所ある場合には、複数のフォーカシングポイントを順番に通るように移動させてもよいし、あるいは、撮影した撮像データのイメージ全体を網羅するように上から下に、左から右に移動させるようにしてもよい。
【００５４】
Ｅ．第４実施形態
次に、本発明の第４実施形態について説明する。なお、携帯電話１の外観、構成は、図１、図２および図３と同じであるので説明を省略する。ここで、図１０は、本第４実施形態による携帯電話１での撮像データの確認方法を説明するための模式図である。本第４実施形態では、図１０に示すように、詳細表示領域１０２１に加えて詳細表示領域１０２２を設け、それぞれに撮影した撮像データの一部を拡大表示するようになっている。詳細表示する部分については、例えばフォーカシングポイントが複数箇所ある場合には、複数のフォーカシングポイントの部分や、２回以上の分割撮影した画像を合成して１つの撮像データとして記録するカップリング撮影を行っている場合には、各撮影時の中心位置やフォーカシングポイントを中心とする部分、画像認識技術を用いることが可能な場合には、フォーカシングポイントと赤目発生の有無を確認するために被写体の目を含む部分などを表示すればよい。
【００５５】
Ｆ．第５実施形態
次に、本発明の第５実施形態について説明する。なお、携帯電話１の外観、構成は、図１、図２および図３と同じであるので説明を省略する。ここで、図１１は、本第５実施形態による携帯電話１での撮像データの確認方法を説明するための模式図である。本第５実施形態では、メイン表示部１０２としてワイド液晶を搭載している場合を想定しており、このような携帯電話１では、図１１に示すように、メイン表示部１０２に撮影した撮像データと、その一部を拡大表示した詳細表示領域１０２１とを並べて表示する。これにより、全体の構図なども容易に確認することが可能となる。
【００５６】
Ｇ．第６実施形態
次に、本発明の第６実施形態について説明する。なお、携帯電話１の外観、構成は、図１、図２および図３と同じであるので説明を省略する。ここで、図１２は、本第６実施形態による携帯電話１での撮像データの確認方法を説明するための模式図である。本第６実施形態では、図１または図２に示すように、サブ表示部１１６を搭載している携帯電話１において、図１２に示すように、メイン表示部１０２に画像データを全面表示し、サブ表示部１１６にその一部を拡大した画像を表示する。これにより、全体の構図なども容易に確認することが可能となる。
【００５７】
なお、上述した第１ないし第６実施形態では、撮影直後の確認時において、撮影画像とその一部を拡大した画像を表示すると説明したが、撮影直後に限定することなく、再生時に自動的もしくは所定のキー操作に応じて行うようにしてもよい。
【００５８】
また、上述した第１ないし第６実施形態では、カメラ付携帯電話についてのみ説明したが、これに限らず、デジタルカメラや静止画もしくは動画表示装置、ＰＤＡなどに適用してもよい。特に、撮影機能を有しない、デジタルビデオレコーダーのような記録再生装置であっても、再生時に所定のキー操作を行うことによって、詳細表示領域１０２１に撮像データの一部を拡大して表示することで、再生している撮像データの品質（ピンぼけ、黒つぶれ、白飛びなど）を容易に確認することが可能となる。
【図面の簡単な説明】
【００５９】
【図１】本発明の実施形態による携帯電話１の外観図（開状態：正面図および背面図）である。
【図２】実施形態による携帯電話１の構成を示すブロック図である。
【図３】本実施形態による詳細表示処理部１３４１の処理を概念的に示す図である。
【図４】本第１実施形態による携帯電話１での撮像データの確認動作を説明するためのフローチャートである。
【図５】本第１実施形態による携帯電話１での撮像データの確認動作を説明するためのフローチャートである。
【図６】本第１実施形態による携帯電話１での撮像データの確認方法を説明するための模式図である
【図７】（ａ）、（ｂ）は本第２実施形態の携帯電話１による動画撮影時における表示動作を説明するための模式図である。
【図８】本第２実施形態による動画データの確認動作を説明するためのフローチャートである。
【図９】本第３実施形態による携帯電話１での撮像データの確認方法を説明するための模式図である。
【図１０】本第４実施形態による携帯電話１での撮像データの確認方法を説明するための模式図である。
【図１１】本第５実施形態による携帯電話１での撮像データの確認方法を説明するための模式図である。
【図１２】本第６実施形態による携帯電話１での撮像データの確認方法を説明するための模式図である。
【符号の説明】
【００６０】
１  携帯電話（撮像装置）
２  蓋部
３  本体部
１０１  スピーカ
１０２  メイン表示部（表示手段、第１の表示領域、表示部）
１０２１  詳細表示領域（第２の表示領域）
１０３  アンテナ
１０４  カメラキー
１０５  メールキー
１０６  十字キー
１０７  決定キー
１０８  アドレスキー
１０９  ネット接続キー
１１０  クリアキー
１１１  オンフックキー
１１２  オフフックキー
１１３  テンキー
１１４  マイク
１１６  サブ表示部（第２の表示手段）
１１８  撮像レンズ（撮像手段）
１１９  フラッシュ用ＬＥＤ
１３０  無線送受信部
１３１  通信制御部
１３１１  通信データ処理部
１３１２  オーディオインターフェース
１３２  システムＲＯＭ
１３３  ＲＡＭ
１３４  画像処理制御部（検出手段、加工手段）
１３４１  詳細表示処理部（抽出手段、表示制御手段）
１３５  ＲＡＭ
１３６  プログラムＲＯＭ
１３７  表示モジュール系ドライバ
１３８  ステップモータ
１３９  撮像デバイス（撮像手段）
１４０  カメラ内信号処理部（撮像手段）
１４２  音源ＩＣ
１４３  アンプ
１４４  コネクタ
１４５  外部記録媒体
１４６  外部インターフェースコントローラ
１４８  アドレスデータバス処理部
１４９  ユーザメモリ（第２の記憶手段、第２のメモリ）
１５０  ＲＡＭ（第１の記憶手段、第１のメモリ）
１５１  ＤＳＰ（撮像手段）
【図１】
2006229663.tif 000003
【図２】
2006229663.tif 000004
【図３】
2006229663.tif 000005
【図４】
2006229663.tif 000006
【図５】
2006229663.tif 000007
【図６】
2006229663.tif 000008
【図７】
2006229663.tif 000009
【図８】
2006229663.tif 000010
【図９】
2006229663.tif 000011
【図１０】
2006229663.tif 000012
【図１１】
2006229663.tif 000013
【図１２】
2006229663.tif 000014